(57)【要約】【課題】マウス操作のむらによる影響を少なくし、発電効率を向上させる。【解決手段】マウス操作に伴う物理移動を回転運動へと変換する回転式揺動子と、回転式揺動子による回転運動を回転エネルギーとして蓄える回転エネルギー蓄積部と、回転エネルギーを電気エネルギーに変換する発電部とを備える。回転エネルギー蓄積部としてはゼンマイバネ装置を用いることができる。発電部、及び回転式揺動子と回転エネルギー蓄積部は複数設けることができる。さらに、ゼンマイバネ装置に回転エネルギーを与える巻上ダイヤルを設けることができる。【選択図】図１
2012159937.tif 000002
【特許請求の範囲】
【請求項１】
マウス操作に伴う物理移動を回転運動へと変換する回転式揺動子と、前記回転式揺動子による回転運動を回転エネルギーとして蓄える回転エネルギー蓄積部と、蓄えられた回転エネルギーを電気エネルギーに変換する発電部とを備えたマウス。
【請求項２】
前記回転エネルギー蓄積部はゼンマイバネ装置であることを特徴とする請求項１に記載のマウス。
【請求項３】
前記発電部は複数設けられていることを特徴とする請求項１又は２に記載のマウス。
【請求項４】
前記回転式揺動子と前記回転エネルギー蓄積部とは複数設けられていることを特徴とする請求項１又は２に記載のマウス。
【請求項５】
前記ゼンマイバネ装置に回転エネルギーを与える巻上ダイヤルを備えた請求項２に記載のマウス。
【請求項６】
回転式揺動子によりマウス操作に伴う物理移動を回転運動へと変換し、
前記回転式揺動子による回転運動を回転エネルギーとして蓄え、
蓄えられた回転エネルギーを電気エネルギーに変換し、バッテリー部に蓄積することを特徴とするマウスのバッテリー充電方法。
【請求項７】
前記回転エネルギーはゼンマイバネ装置により蓄えられることを特徴とする請求項６に記載のバッテリー充電方法。
【請求項８】
前記回転エネルギーの電気エネルギーへの変換は発電部により行われ、該発電部は複数設けられていることを特徴とする請求項６又は７に記載のバッテリー充電方法。
【請求項９】
前記回転式揺動子は複数設けられていることを特徴とする請求項６又は７に記載のバッテリー充電方法。
【請求項１０】
前記ゼンマイバネ装置に回転エネルギーを与える巻上ダイヤルを備えた請求項７に記載のバッテリー充電方法。
【発明の詳細な説明】
【技術分野】
【０００１】
本発明は、マウスおよびマウスのバッテリー充電方法に係わり、特にバッテリーに充電された電気エネルギーで動作するマウスおよびマウスのバッテリー充電方法に関わる。
【背景技術】
【０００２】
従来の無線式マウスでは、内蔵されたバッテリーが消耗すると電波や赤外線を飛ばせなくなるため、マウスの操作情報をコンピュータに伝送できない状態となっていた。
バッテリー消耗を抑える技術としてマウスのトラックボールを動力源とする発電機構を搭載する技術が存在する。またトラックボールから得た動力をゼンマイバネに蓄え動力源とする発電機構を搭載する技術が存在する。
例えば、特許文献１には、ボールの動きをローラーに伝え、ローラーの回転をシャフトを通して発電装置に連結したマウスの記載があり、また静止時にはボタンを押してクリックボタンを押すことで電力を発生することの記載がある。
また特許文献２には、ボールの回転をローラーに伝え、ローラーを回転可能に軸支するローラー軸の回転をぜんまい装置に機械的エネルギーとして蓄積し、その機械的エネルギーを発電機に伝えることの記載がある。
【先行技術文献】
【特許文献】
【０００３】
【特許文献１】特開２００２−１１８４８０号公報（段落００５０）
【特許文献２】特開２００３−２３３４５９号公報（段落００１５−００１８）
【発明の概要】
【発明が解決しようとする課題】
【０００４】
しかしながら、机上でのマウスの移動速度に応じて画面上のマウスカーソルの移動速度を高める加速度機能を保有するマウス機能により、マウスの絶対的な物理移動量そのものが減少している。そのためトラックボールの回転を動力とする発電機構では、トラックボールの回転量が減少し、マウスの操作情報をコンピュータに伝送する電波や赤外線を飛ばすために十分な発電量を得られにくくなっている。
また、トラックボールの磨耗や塵によって回転が妨げられ効率的に発電できないケースや、発電機構とトラックボールが接していることから生じる回転抵抗がマウスの操作性を低下させてしまう問題があった。
【課題を解決するための手段】
【０００５】
本発明に係るマウスは、マウス操作に伴う物理移動を回転運動へと変換する回転式揺動子と、前記回転式揺動子による回転運動を回転エネルギーとして蓄える回転エネルギー蓄積部と、蓄えられた回転エネルギーを電気エネルギーに変換する発電部とを備えたことを特徴とする。
本発明に係るマウスのバッテリー充電方法は、回転式揺動子によりマウス操作に伴う物理移動を回転運動へと変換し、
前記回転式揺動子による回転運動を回転エネルギーとして蓄え、
蓄えられた回転エネルギーを電気エネルギーに変換し、バッテリー部に蓄積することを特徴とする。
【発明の効果】
【０００６】
本発明によれば、トラックボールの回転を動力とせず、マウス操作のむらによる影響が少なくなり、発電効率も向上できる。
【図面の簡単な説明】
【０００７】
【図１】本発明に係るマウスの第１の実施形態を示す構成図である。
【図２】本発明に係るマウスの第１の実施形態の電気回路を示すブロック図である。
【図３】本発明に係るマウスの第２の実施形態を示す構成図である。
【図４】本発明に係るマウスの第２の実施形態の電気回路を示すブロック図である。
【図５】本発明に係るマウスの第３の実施形態を示す構成図である。
【図６】本発明に係るマウスの第４の実施形態を示す構成図である。
【発明を実施するための形態】
【０００８】
以下、本発明に係るマウスの典型的な一実施形態について図面を用いて詳細に説明する。
【０００９】
（第１の実施形態）
図１に示すように、本実施形態のマウスは、マウスの外殻であるマウスケース１０１、回転式揺動子付自動巻上ゼンマイバネ装置１０２、発電部１０３を備えている。また、本実施形態のマウスは、図２に示すように、発電部１０３と接続される、バッテリー部２０１、バッテリー部２０１から電力を供給するマウス機能部２０２とを備えている。発電部１０３、バッテリー部２０１、マウス機能部２０２は電気回路２００を構成する。
【００１０】
回転式揺動子付自動巻上ゼンマイバネ装置１０２は、回転式揺動子１１１と自動巻上ゼンマイバネ装置１１２で構成される。
【００１１】
次に、図１および図２を参照して本実施形態の動作について説明する。
【００１２】
マウスケース１０１には、回転式揺動子付自動巻上ゼンマイバネ装置１０２、電気回路２００を内蔵する。
【００１３】
マウス操作に伴う物理移動は、回転式揺動子１１１（回転錐、ローターとも呼ばれる）により回転運動へと変換され、その回転運動エネルギーは自動巻上ゼンマイバネ装置１１２へ蓄えられる。この機構は自動巻式腕時計で利用されているので、その詳細な構成は説明を省略する。回転式揺動子付自動巻上ゼンマイバネ装置１０２で蓄えられた回転運動エネルギーの出力による回転運動を、発電部１０３に伝達することで発電する。回転エネルギーを電気エネルギーに変換する機構は、自動巻き発電時計で用いられているように電磁誘導の原理を用いる。具体的には、自動巻上ゼンマイバネ装置１１２に接続されたローターを回転させ、その回転によりコイルブロックに電圧が誘導され、電流が流れ、その電流をバッテリー部２０１に充電する。なお、自動巻き発電時計ではローターの回転を電気エネルギーに変換しているが、本実施形態では自動巻上ゼンマイバネ装置１１２に回転エネルギーを蓄えることで、バッテリー部２０１に安定した電力を供給できるようにしている。自動巻き発電時計の詳細な構成については、特開２００８−７６３０１号公報、特開平８−７５８７３号公報等に記載されている。また、ゼンマイ装置に蓄えられた機械的エネルギーを発電機で電気エネルギーに変換することについては特許文献２に記載されている。
【００１４】
図２における電気回路では、マウス機能部２０２にてマウス操作に伴う物理移動やボタン操作を検出した情報を電波または赤外線でコンピュータに伝送する。
【００１５】
マウス機能部２０２で必要な電力はバッテリー部２０１から供給する。発電部１０３で発電した電力を、バッテリー部２０１へ充電することでバッテリー消耗の低減を図る。
【００１６】
（第２の実施形態）
本発明に係るマウスの第２の実施形態として、複数個の発電部を設ける例を図３および図４を参照して説明する。図１及び図２に示した構成部材と同一構成部材については同一符号を付して説明を省略する。図３では、発電部３０１と発電部３０２の、２つの発電部を設ける。図４に示す電気回路４００では、発電部３０１と発電部３０２で発電した電力を同じバッテリー部２０１へ充電している。かかる構成により、回転式揺動子付自動巻上ゼンマイバネ装置１０２により二つの発電部を発電できるので、バッテリー部２０１に充電する電気エネルギーを増やすことができる。発電部の数は２個に限定されず３個以上あってもよい。
【００１７】
（第３の実施形態）
本発明に係るマウスの第３の実施形態として、複数個の回転式揺動子付自動巻上ゼンマイバネ装置を設ける例を、図５を参照して説明する。図１に示した構成部材と同一構成部材については同一符号を付して説明を省略する。図５では、第１の回転式揺動子付自動巻上ゼンマイバネ装置５０１と、第２の回転式揺動子付自動巻上ゼンマイバネ装置５０２を設け、同じ発電部１０３を動作させている。回転式揺動子付自動巻上ゼンマイバネ装置５０１および５０２はそれぞれ、回転式揺動子５１１と自動巻上ゼンマイバネ装置５１２で構成される。回転式揺動子５１１と自動巻上ゼンマイバネ装置５１２は、回転式揺動子１１１と自動巻上ゼンマイバネ装置１１２と同じ構成である。回転式揺動子付自動巻上ゼンマイバネ装置の数は２個に限定されず３個以上あってもよい。
【００１８】
（第４の実施形態）
本発明に係るマウスの第４の実施形態として、自動巻上ゼンマイバネ装置に手動巻上装置を付加する例を、図６を参照して説明する。図１に示した構成部材と同一構成部材については同一符号を付して説明を省略する。図６では自動巻上ゼンマイバネ装置１０２に接する巻上ダイヤル６０１を、わずかにマウスケース１０１の外側に出るように設ける。指での操作で巻上ダイヤル６０１を回転させ、その回転運動エネルギーを自動巻上ゼンマイバネ装置１１２へ蓄える。
【００１９】
本実施形態のマウスは、LED等の発光素子を発光させるためにバッテリーのエネルギー消費が大きい光学式マウスに好適に用いることができる。しかし、トラックボール式マウスにも適用可能である。
【００２０】
上記の実施形態の一部又は全部は、以下の付記のようにも記載されうるが、以下の構成には限られない。
【００２１】
（付記１）
マウス操作に伴う物理移動を回転運動へと変換する回転式揺動子と、前記回転式揺動子による回転運動を回転エネルギーとして蓄える回転エネルギー蓄積部と、蓄えられた回転エネルギーを電気エネルギーに変換する発電部とを備えたマウス。
【００２２】
（付記２）
前記回転エネルギー蓄積部はゼンマイバネ装置であることを特徴とする付記１に記載のマウス。
【００２３】
（付記３）
前記発電部は複数設けられていることを特徴とする付記１又は２に記載のマウス。
【００２４】
（付記４）
前記回転式揺動子と前記回転エネルギー蓄積部とは複数設けられていることを特徴とする付記１又は２に記載のマウス。
【００２５】
（付記５）
前記ゼンマイバネ装置に回転エネルギーを与える巻上ダイヤルを備えた付記２に記載のマウス。
【００２６】
（付記６）
回転式揺動子によりマウス操作に伴う物理移動を回転運動へと変換し、
前記回転式揺動子による回転運動を回転エネルギーとして蓄え、
蓄えられた回転エネルギーを電気エネルギーに変換し、バッテリー部に蓄積することを特徴とするマウスのバッテリー充電方法。
【００２７】
（付記７）
前記回転エネルギーはゼンマイバネ装置により蓄えられることを特徴とする付記６に記載のバッテリー充電方法。
【００２８】
（付記８）
前記回転エネルギーの電気エネルギーへの変換は発電部により行われ、該発電部は複数設けられていることを特徴とする付記６又は７に記載のバッテリー充電方法。
【００２９】
（付記９）
前記回転式揺動子は複数設けられていることを特徴とする付記６又は７に記載のバッテリー充電方法。
【００３０】
（付記１０）
前記ゼンマイバネ装置に回転エネルギーを与える巻上ダイヤルを備えた付記７に記載のバッテリー充電方法。
【産業上の利用可能性】
【００３１】
本発明によりマウス自体で電力を発生させることでバッテリーを長寿命化させ、バッテリー交換や充電の手間を減らせるため、一般個人向けのマウス、多くのコンピュータ台数を保有する教育・研究機関等でのマウスに利用することができる。
【符号の説明】
【００３２】
１０１  マウスケース
１０２，５１１，５１２  回転式揺動子付自動巻上ゼンマイバネ装置
１０３，３０１，３０２  発電部
１１１  回転式揺動子
１１２  自動巻上ゼンマイバネ装置
２００，４００  電気回路
２０１  バッテリー部
２０２  マウス機能部
６０１  巻上ダイヤル
【図１】
2012159937.tif 000003
【図２】
2012159937.tif 000004
【図３】
2012159937.tif 000005
【図４】
2012159937.tif 000006
【図５】
2012159937.tif 000007
【図６】
2012159937.tif 000008